(57)【要約】      （修正有）【課題】片手で撒き餌をコマセカゴに充填出来、その撒き餌が海水中に放出される量を調整弁により調整出来、また仕掛けを収納出来る付属品が調整弁と交換して取り付け出来るコマセカゴを提供する。【解決手段】コマセカゴの底部中央部に立設された、柄と前記柄に着脱自在かつ上下可動に取付けられた押え弁と釣り終了時に前記押え弁を取り外して交換して着脱自在に取り付ける事の出来る仕掛け巻きとを有する事を特徴とする調整弁及び仕掛け巻きは、魚釣り用コマセカゴである。【選択図】図２
0003159687.tif 000002
【実用新案登録請求の範囲】
【請求項１】
コマセカゴの底部中央部に立設された、柄と前記柄に着脱自在かつ上下可動に取付けられた調整弁と釣り終了時に前記調整弁を取り外して交換して着脱自在に取り付ける事の出来る仕掛け巻きを有する事を特徴とする撒き餌調整弁及び仕掛け巻き付魚釣り用コマセカゴである。
【請求項２】
請求項１において柄の材質をポリカーボネートとする事を特徴とする撒き餌調整弁及び仕掛け巻き付魚釣り用コマセカゴである。
【考案の詳細な説明】
【技術分野】
【０００１】本考案は、片手で撒き餌をコマセカゴに充填出来尚、その撒き餌が海水中に放出される量を調整弁により調整出来、また仕掛けを収納出来る付属品が調整弁と交換して、取り付け出来る考案である。
【背景技術】
【０００２】これまで魚釣り用コマセカゴとして下記特許公開公報に提出されているすなわちコマセカゴの本体中心部に握り柄を設け、コマセカゴの開口部にコマセ挿入口設けた逆円錐状の蓋を装着した釣り用コマセカゴであった。
【先行技術文献】
【特許文献】
【０００３】特開２００６−１１５８１６号公報
【考案の概要】
【考案が解決しようとする課題】
【０００４】上記特許文献のコマセカゴには次のような問題点があった。
撒き餌挿入口に逆円錐状のフタが設けられてはいるが、コマセカゴ着水時や沈下時などに海水中に放出される撒き餌の量の調整が出来にくかった。すなわち、これを使用する時は、コマセカゴの握り柄を持ち、海水で溶かした液状の撒き餌の中にコマセカゴ本体を沈める。すると、コマセの表面とコマセカゴの内部に落差が生じ、コマセ挿入口からコマセカゴの中に撒き餌が充填されれば、海に投入、コマセは逆円錐状のフタに遮られつつコマセ挿入口から自然に放出されるため撒き餌の放出量の調整が思うようにできなかった。しかし、固体の冷凍撒き餌の場合コマセカゴをえさの中に沈めることができず対応できなかった。
また、釣り終了後、仕掛けがそのまま釣り場に捨てられる事が多かった。
その為環境破壊にも繋がっていた。
【課題を解決するための手段】本考案は、これらの問題点を解決する為になされたものである。【０００５】本考案は、コマセカゴの底部中央に立設された柄と前記柄に着脱自在かつ上下可動に取り付けられた調整弁を釣り終了時に前記調整弁を取り外して交換して着脱自在に取り付ける事が出来る仕掛け巻きとを有する事を特徴とする調整弁及び仕掛け巻き付魚釣り用コマセカゴである。ここで、調整弁により海水中に放出される撒き餌の量を調整する。さらに釣り終了後仕掛け巻きを調整弁と交換して取付ける。【０００６】また、本考案は、上記柄の材質をポリカーボネートとすることを特徴とする。
ポリカーボネートは、曲げ強度が高く弾力性に優れ大きくしなる特性を有するため柄を曲げて硬い冷凍撒き餌の表面をコマセカゴの上部で削り取って充填することができる。
【考案の効果】
【０００７】本考案は、片手で撒き餌を充填出来て、手も汚れにくい、樹脂の柄を使用する事により、弾力性があり、冷凍の撒き餌をすくう事が出来る。調整弁の装着により、着水時に撒き餌の飛散を防ぎ、沈下時に弁が開き撒き餌を放出し沈下が止まると弁が閉じて、魚の遊泳層に的確に撒き餌を放出し撒き餌を無駄に放出しない。また魚の食いが悪くなると竿を上下にしゃくる事により、上記の弁の動作により、撒き餌の放出量を調整する事が出来る。さらに、仕掛け巻きの装着で釣り終了時仕掛けをこれに収納することが出来、使い捨てにならず何度も使用出来、環境破壊を防ぎ、経済的である。
【図面の簡単な説明】
【図１】調整弁を柄に取り付ける前の状態図
【図２】調整弁が柄に取り付けられた状態図
【図３】仕掛け巻きが柄に取り付けられる前の状態図
【図４】仕掛け巻きが柄に取り付けられた状態図
【図５】冷凍撒き餌をすくい入れている状態図
【考案を実施するための形態】
【０００８】以下本考案による撒き餌調整弁及び仕掛け巻き付魚釣り用コマセカゴの好ましい実施形態について図面を用いて説明する。
図１はコマセカゴに撒き餌調整弁を取り付ける前の状態を示す。コマセカゴ▲１▼の底部中央部に柄▲２▼が立設されている。また撒き餌調整弁▲３▼を下部に有する調整弁支持体▲４▼を図示している。なお調整弁支持体▲４▼の中央は中空部▲５▼となっており、さらに、調整弁支持体▲４▼の断面はＣ形状となっており開口部▲６▼を有する。この開口部▲６▼を通過して中空部▲５▼に柄▲２▼が嵌合し、かつ中空部▲５▼の大きさは調整弁支持体▲４▼が、柄▲２▼に沿って上下自在に動ける隙間を有する。図２は調整弁支持体が、柄▲２▼に嵌合された状態を示し、このあとコマセカゴ▲１▼内に撒き餌が充填される。この様に調整弁の装着により、着水時に撒き餌の飛散を防ぎ、沈下時に弁が開き撒き餌を放出し沈下が止まると弁が閉じて、魚の遊泳層に的確に撒き餌を放出し撒き餌を無駄に放出しない。また魚の食いが悪くなると竿を上下にしゃくる事により、上記の弁の動作により、撒き餌の放出量を調整する事が出来る。
【０００９】図３は、仕掛け巻きを取り付ける前の状態を示す。釣りが終了し、コマセカゴ▲１▼の柄▲２▼は、調整弁支持体▲４▼が取り外されている。仕掛け巻き▲７▼を側面に有する仕掛け巻き支持体▲８▼を図示している。また図４に示すように、仕掛け巻き支持体▲８▼は前記撒き餌調整弁の説明のように、中空部▲５▼や開口部▲６▼を有しており、柄▲２▼と嵌合するのである。このような構造になっているので、釣りのときは撒き餌調整弁▲３▼を使用し、釣りが終わると撒き餌調整弁▲３▼を外して仕掛け巻き▲７▼を取り付けられるのである。図５においては、冷凍撒き餌▲９▼を削り取っている様子を図示している。手▲１０▼で掴まれたポリカーボネートの樹脂の柄▲２▼はこの様にしなるのである。
【符号の説明】▲１▼コマセカゴ              ▲８▼仕掛け巻き支持体
▲２▼柄                      ▲９▼冷凍撒き餌
▲３▼調整弁                  ▲１０▼手
▲４▼調整弁支持体
▲５▼中空部
▲６▼開口部
▲７▼仕掛け巻き
【図１】
0003159687.tif 000003
【図２】
0003159687.tif 000004
【図３】
0003159687.tif 000005
【図４】
0003159687.tif 000006
【図５】
0003159687.tif 000007
【手続補正書】
【提出日】平成22年3月11日(2010.3.11)
【手続補正２】
【補正対象書類名】実用新案登録請求の範囲
【補正対象項目名】請求項１
【補正方法】変更
【補正の内容】
【請求項１】
コマセカゴの底部中央部に立設された丸棒状の柄と，
前記柄に着脱出来る様にＣ形断面形状の開口部を持つ調整弁と，
釣り終了時に調整弁を前記柄より外して
調整弁と同一のＣ形断面形状の開口部を持つ仕掛け巻きと，
交換出来る事を特徴とする魚釣り用コマセカゴ。
【手続補正３】
【補正対象書類名】実用新案登録請求の範囲
【補正対象項目名】請求項２
【補正方法】変更
【補正の内容】
【請求項２】
請求項１において柄の材質をポリカーボネートとする事を特徴とする魚釣り用コマセカゴ。